(57)【要約】【課題】光源のＣＯＤの発生を抑制する。【解決手段】光源装置は、第１の固体光源５ｂｃと、第１の固体光源とは異なる波長の光を発する第２の固体光源５ｒｄと、第１および第２の固体光源の点灯を制御する制御手段１，３とを有する。制御手段は、第１の固体光源を点灯した後に、第１の固体光源を点灯させたまま第２の固体光源を点灯させる。【選択図】図１
2020034902.tif 000002
【特許請求の範囲】
【請求項１】
第１の固体光源と、
前記第１の固体光源とは異なる波長の光を発する第２の固体光源と、
前記第１および第２の固体光源の点灯を制御する制御手段とを有し、
前記制御手段は、前記第１の固体光源を点灯した後に、該第１の固体光源を点灯させたまま前記第２の固体光源を点灯させることを特徴とする光源装置。
【請求項２】
前記制御手段は、前記第１の固体光源を点灯させた後、計時手段により計測された時間が所定時間に達することに応じて前記第２の固体光源を点灯させることを特徴とする請求項１に記載の光源装置。
【請求項３】
前記制御手段は、前記第１の固体光源を点灯させた後、温度検出手段により検出された前記第１または第２の固体光源の温度が所定温度に上昇することに応じて前記第２の固体光源を点灯させることを特徴とする請求項１に記載の光源装置。
【請求項４】
前記制御手段は、前記第１の固体光源の駆動電流が設定値まで増加する時間よりも長い時間をかけて前記第２の固体光源の駆動電流を設定値まで増加させることを特徴とする請求項１から３のいずれか一項に記載の光源装置。
【請求項５】
前記第２の固体光源を冷却する冷却手段を有し、
前記制御手段は、前記第２の固体光源の駆動電流が設定値まで増加した後または増加したと同時に前記冷却手段による前記第２の固体光源の冷却を開始させることを特徴とする請求項１から４のいずれか一項に記載の光源装置。
【請求項６】
前記制御手段は、前記第２の固体光源の駆動電流が設定値まで増加する時間よりも長い時間をかけて前記第１の固体光源の駆動電流を設定値まで増加させることを特徴とする請求項１から３のいずれか一項に記載の光源装置。
【請求項７】
前記制御手段は、前記第１の固体光源を点灯させる際に、前記第１の固体光源の駆動電流を設定値よりも増加させた後、前記設定値になるように制御することを特徴とする請求項１から６のいずれか一項に記載の光源装置。
【請求項８】
前記第１の固体光源が発生した熱を前記第２の固体光源に伝達する伝熱部材を有することを特徴とする請求項１から７のいずれか一項に記載の光源装置。
【請求項９】
前記第２の固体光源の波長は、前記第１の固体光源の波長よりも長いことを特徴とする請求項１から８のいずれか一項に記載の光源装置。
【請求項１０】
前記第１の固体光源は青光を発し、前記第２の固体光源は赤光を発することを特徴とする請求項９に記載の光源装置。
【請求項１１】
第１の固体光源と、
前記第１の固体光源とは異なる波長の光を発する第２の固体光源と、
前記第１および第２の固体光源を点灯させるための駆動電流を制御する制御手段とを有し、
前記制御手段は、前記第１および第２の固体光源を点灯させる際に、前記第１の固体光源の駆動電流が設定値まで増加する時間よりも長い時間をかけて前記第２の固体光源の駆動電流を設定値まで増加させることを特徴とする光源装置。
【請求項１２】
請求項１から１１のいずれか一項に記載の光源装置と、
該光源装置からの光を変調する光変調部とを有し、
前記光変調部からの光を被投射面に投射して画像を表示することを特徴とする画像投射装置。
【請求項１３】
前記第２の固体光源を点灯させる前に前記第１の固体光源を点灯させる間は前記光変調部を入力映像信号にかかわらず全黒表示状態に制御し、
前記第２の固体光源を点灯させる際に前記光変調部を前記入力映像信号に応じて制御することを特徴とする請求項１２に記載の画像投射装置。
【請求項１４】
前記光源装置から前記光変調部に向かう光の光路に設けられたシャッタを有し、
前記第２の固体光源を点灯させる前に前記第１の固体光源を点灯させる間は前記シャッタを閉じるように制御し、
前記第２の固体光源を点灯させる際に前記シャッタを開くように制御することを特徴とする請求項１２に記載の画像投射装置。
【請求項１５】
第１の固体光源と、前記第１の固体光源とは異なる波長の光を発する第２の固体光源とを有する光源装置の制御方法であって、
前記第１の固体光源を点灯させるステップと、
前記第１の固体光源を点灯させた後に、該第１の固体光源を点灯させたまま前記第２の固体光源を点灯させるステップとを有することを特徴とする光源装置の制御方法。
【請求項１６】
第１の固体光源と、前記第１の固体光源とは異なる波長の光を発する第２の固体光源とを有する光源装置の制御方法であって、
前記第１および第２の固体光源を点灯させるための駆動電流を制御するステップを有し、
前記ステップにおいて、前記第１および第２の固体光源を点灯させる際に、前記第１の固体光源の駆動電流を設定値まで増加させる時間よりも長い時間をかけて前記第２の固体光源の駆動電流を設定値まで増加させることを特徴とする光源装置の制御方法。
【請求項１７】
第１の固体光源と、前記第１の固体光源の点灯により発生する熱が伝達されるように配置され、前記第１の固体光源とは異なる波長の光を発する第２の固体光源とを有する光源装置のコンピュータに、請求項１５または１６に記載の制御方法に従う処理を実行させることを特徴とするコンピュータプログラム。
【発明の詳細な説明】
【技術分野】
【０００１】
本発明は、液晶プロジェクタ等の画像投射装置に好適な光源装置に関する。
【背景技術】
【０００２】
光源から発せられた光を、液晶パネル等の光変調素子により画像変調してスクリーン等の被投射面に投射する画像投射装置（以下、プロジェクタという）には、光源としてレーザダイオード（ＬＤ）を用いるものがある。このようなプロジェクタには、特許文献１にて開示されているように、互いに異なる波長の光を発する複数のＬＤ（青色ＬＤと赤色ＬＤ）を用いるものがある。
【先行技術文献】
【特許文献】
【０００３】
【特許文献１】特開２０１６−２２４３０４号公報
【発明の概要】
【発明が解決しようとする課題】
【０００４】
ただし、赤色ＬＤには、青色ＬＤに比べて、特に温度が低いときに光学損傷（ＣＯＤ：Catastrophic Optical Damage）を引き起こしやすいという性質がある。また、複数の赤色ＬＤを使用する光源装置において、ある赤色ＬＤに異常が発生すると、該赤色ＬＤに駆動電流を供給しても発光および発熱しなくなり、この異常な赤色ＬＤに隣接している正常な赤色ＬＤの温度が低下する。この結果、その正常な赤色ＬＤにもＣＯＤが発生するおそれがある。
【０００５】
本発明は、赤色ＬＤ等の光源のＣＯＤの発生を抑制することが可能な光源装置およびプロジェクタを提供する。
【課題を解決するための手段】
【０００６】
本発明の一側面としての光源装置は、第１の固体光源と、第１の固体光源とは異なる波長の光を発する第２の固体光源と、第１および第２の固体光源の点灯を制御する制御手段とを有する。制御手段は、第１の固体光源を点灯した後に、第１の固体光源を点灯させたまま第２の固体光源を点灯させることを特徴とする。
【０００７】
本発明の他の一側面としての光源装置は、第１の固体光源と、第１の固体光源とは異なる波長の光を発する第２の固体光源と、第１および第２の固体光源を点灯させるための駆動電流を制御する制御手段とを有する。制御手段は、第１および第２の固体光源を点灯させる際に、第１の固体光源の駆動電流が設定値まで増加する時間よりも長い時間をかけて第２の固体光源の駆動電流を設定値まで増加させることを特徴とする。
【０００８】
なお、上記光源装置と、該光源装置からの光を変調する光変調部とを有し、光変調部からの光を被投射面に投射して画像を表示する画像投射装置も、本発明の他の一側面を構成する。
【０００９】
また、本発明の他の一側面としての制御方法は、第１の固体光源と、第１の固体光源とは異なる波長の光を発する第２の固体光源とを有する光源装置に適用される。該制御方法は、第１の固体光源を点灯させるステップと、第１の固体光源の点灯後に、第１の固体光源を点灯させたまま第２の固体光源を点灯させるステップとを有することを特徴とする。
【００１０】
また、本発明の他の一側面としての制御方法は、第１の固体光源と、第１の固体光源とは異なる波長の光を発する第２の固体光源とを有する光源装置に適用される。該制御方法は、第１および第２の固体光源を点灯させるための駆動電流を制御するステップを有し、該ステップにおいて、第１および第２の固体光源を点灯させる際に、第１の固体光源の駆動電流を設定値まで増加させる時間よりも長い時間をかけて第２の固体光源の駆動電流を設定値まで増加させることを特徴とする。
【００１１】
なお、上記制御方法に従う処理を光源装置のコンピュータに実行させるコンピュータプログラムも、本発明の他の一側面を構成する。
【発明の効果】
【００１２】
本発明によれば、第２の光源におけるＣＯＤの発生を抑制した光源装置およびこれを備えた画像投射装置を実現することができる。
【図面の簡単な説明】
【００１３】
【図１】本発明の実施例１であるプロジェクタの構成を示す図。
【図２】実施例１のプロジェクタで行われる光源点灯処理を示すフローチャート
【図３】実施例１のプロジェクタにおけるＬＤ点灯時の温度変化を示す図。
【図４】本発明の実施例２のプロジェクタで行われる光源点灯処理を示すフローチャート
【図５】実施例２のプロジェクタにおけるＬＤ点灯時の赤ＬＤの駆動電流と温度変化を示す図。
【図６】本発明の実施例３であるプロジェクタで行われる光源点灯処理を示すフローチャート。
【図７】本発明の実施例４であるプロジェクタの構成を示す図。
【図８】実施例４のプロジェクタで行われる光源点灯処理を示すフローチャート。
【図９】本発明の実施例５であるプロジェクタで行われる光源点灯処理を示すフローチャート。
【図１０】本発明の実施例６であるプロジェクタで行われる光源点灯処理を示すフローチャート。
【図１１】本発明の実施例７であるプロジェクタで行われる光源点灯処理を示すフローチャート。
【図１２】本発明の実施例８である光源装置を示す図。
【図１３】本発明の実施例９であるプロジェクタで行われる光源点灯処理を示すフローチャート。
【図１４】本発明の実施例１０であるプロジェクタで行われる光源点灯処理を示すフローチャート。
【図１５】本発明の実施例１０における駆動電流と時間の関係
【図１６】本発明の実施例１１であるプロジェクタで行われる光源点灯処理を示すフローチャート。
【図１７】本発明の実施例１１における駆動電流と時間の関係。
【図１８】本発明の実施例１２であるプロジェクタで行われる光源点灯処理を示すフローチャート。
【図１９】本発明の実施例１３であるプロジェクタで行われる光源点灯処理を示すフローチャート。
【図２０】本発明の実施例１４であるプロジェクタで行われる光源点灯処理を示すフローチャート。
【図２１】本発明の実施例１４における光源の駆動電流に対する光センサ値の関係。
【図２２】本発明の実施例１５であるプロジェクタで行われる光源点灯処理を示すフローチャート。
【図２３】本発明の実施例１５における駆動電流と時間の関係。
【図２４】本発明の実施例１６であるプロジェクタで行われる光源点灯処理を示すフローチャート。
【図２５】本発明の実施例１７であるプロジェクタで行われる光源点灯処理を示すフローチャート。
【発明を実施するための形態】
【００１４】
以下、本発明の実施例について図面を参照しながら説明する。
【実施例１】
【００１５】
図１は、本発明の実施例１である画像投射装置としてのプロジェクタの構成を示している。以下の説明において、Ｒ、Ｇ、Ｂはそれぞれ、赤、緑、青の意味である。１はシステム制御部、２はモード切替え部、３は駆動電流算出部、４は光源駆動部である。５ｂａ，５ｂｂ，５ｂｃは第１の光源（第１の固体光源）としてのＢ光源であり、５ｒｄは第２の光源としてのＲ光源（第２の固体光源）である。６ｂはＢ光源用ヒートシンク、６ｒはＢＲ光源用ヒートシンク、７ｂはＢ光源用冷却部、７ｒはＢＲ光源用冷却部、８は冷却制御部である。
【００１６】
９ｂａ，９ｂｂ，９ｂｃはＢ用コリメートレンズであり、９ｒｄはＲ用コリメートレンズｄである。１０は第１のレンズ、１１は第２のレンズ、１３は光反射部材、１４はガラス板、１５は第３のレンズである。１６は蛍光体、１７は蛍光体支持部材、１８はモータ、１９はモータ制御部である。２１ａは第１のフライアイレンズ、２１ｂは第２のフライアイレンズ、２２は偏光変換素子、２３は第４のレンズである。
【００１７】
２４はダイクロイックミラー、２５は波長選択性位相板、２６ＲＢはＲＢ用偏光ビームスプリッタ、２６ＧはＧ用偏光ビームスプリッタ、２７ＲはＲ用λ／４板、２７ＧはＧ用λ／４板、２７ＢはＢ用λ／４板である。２８ＲはＲ用光変調部、２８ＧはＧ用光変調部、２８ＢはＢ用光変調部である。３０は色合成プリズム、３２は投射レンズである。
【００１８】
駆動電流算出部３は、システム制御部１からの指示に応じてＢ光源５ｂａ，５ｂｂ，５ｂｃおよびＲ光源５ｒｄの駆動電流を算出する。光源駆動部４は、駆動電流算出部３により算出された各駆動電流を各光源に供給してこれを駆動する。システム制御部１および駆動電流算出部３は、制御手段を構成する。
【００１９】
Ｂ光源５ｂａ，５ｂｂ，５ｂｃは、Ｂ光（青光）を発する互いに同じ半導体レーザダイオード（ＬＤ）である。Ｂ光源５ｂａ，５ｂｂ，５ｂｃのピーク波長は、例えば４５５ｎｍである。Ｒ光源５ｒｄは、Ｒ光（赤光）を発する半導体ＬＤである。Ｒ光源５ｒｄのピーク波長は、例えば６３５ｎｍである。Ｂ光源５ｂａ，５ｂｂは、Ｂ光源用ヒートシンク６ｂに取り付けられている。第１の光源としてのＢ光源５ｂｃと第２の光源としてのＲ光源５ｒｄは、伝熱部材としてのＢＲ光源用ヒートシンク６ｒに取り付けられている。各ヒートシンクとしては、放熱フィンが設けられた銅板等が用いられる。各光源と各ヒートシンクは、熱伝導シート等の伝熱部材で密着されていることが好ましい。
【００２０】
Ｂ光源用ヒートシンク６ｂとＢＲ光源用ヒートシンク６ｒの背面にはそれぞれ、冷却ファンにより構成されるＢ光源用冷却部（以下、Ｂ光源用冷却ファンという）７ｂとＢＲ光源用冷却部（以下、ＢＲ光源用冷却ファンという）７ｒが配置されている。Ｂ光源用冷却ファン７ｂおよびＢＲ光源用冷却ファン７ｒのそれぞれからの冷却風によってＢ光源用ヒートシンク６ｂおよびＢＲ光源用ヒートシンク６ｒが冷却される。Ｂ光源用冷却ファン７ｂとＢＲ光源用冷却ファン７ｒの回転数は、システム制御部１の指示に基づいて冷却制御部８によって制御される。図１においてＢ光源用冷却ファン７ｂとＢＲ光源用冷却ファン７ｒから出ている矢印の向きは、冷却風の向きを示している。
【００２１】
ＢＲ光源用ヒートシンク６ｒは、Ｂ光源５ｂｃが発した熱をＲ光源５ｒｄに伝達する。また、ＢＲ光源用ヒートシンク６ｒは、Ｂ光源５ｂｃおよびＲ光源５ｒｄのそれぞれが発した熱を平均化する。ＢＲ光源用ヒートシンク６ｒをＲ光源用冷却ファン７ｒにより冷却することで、Ｂ光源５ｂｃとＲ光源５ｒｄを同時に冷却することができる。
【００２２】
Ｂ光源５ｂａ，５ｂｂ，５ｂｃから発せられたＢ光はそれぞれ、Ｂ用コリメートレンズ９ｂａ，９ｂｂ，９ｂｃに入射する。Ｒ光源５ｒｄから発せられたＲ光は、Ｒ用コリメートレンズ９ｒｄに入射する。各コリメートレンズは、各光源からの光を略平行光に変換する。図１における各光源からの矢印の向きは、光の光路と進行方向を表している。このことは以降の光路においても同様である。
【００２３】
各コリメートレンズから出射した光は、第１のレンズ１０および第２のレンズ１１に入射して励起光１２として出射する。第１のレンズ１０と第２のレンズ１１は、各コリメートレンズから出射した光の光束径を調整する役割を有する。
【００２４】
励起光１２は、ガラス板１４の表面に設けられた光反射部材１３で反射され、第３のレンズ１５を介して蛍光体１６に照射される。光反射部材１３は、ガラス板１４の表面のうち励起光１２が照射される部分にのみ設けられている。また、第３のレンズ１５は、励起光１２を集光して蛍光体１６上に所定サイズの光照射領域を形成する。
【００２５】
蛍光体１６の材料は、例えばＹＡＧ：Ｃｅである。蛍光体１６は、モータ１８の回転軸を中心とした円周方向に設けられ、蛍光体支持部材１７によって支持されている。蛍光体支持部材１７の材料は、典型的にはアルミ等の金属板である。ただし、金属板と同様な機能を有するものであれば、金属板に限られない。モータ１８は、蛍光体１６からの放熱を効率的に行うために、蛍光体１６および蛍光体支持部材１７を回転させる。モータ１８の回転数は、システム制御部１の指示に応じてモータ制御部１９により制御される。
【００２６】
蛍光体１６は、励起光１２のうちＢ光の一部を波長変換して黄色の蛍光光を発生させる。蛍光光と蛍光体１６により波長変換されなかったＢの励起光（非変換光）とＲ光とが合成されて白色（Ｗ）光としての照明光２０が生成される。
【００２７】
照明光２０は、第３のレンズ１５に入射して略平行光に変換される。第３のレンズ１５を透過した照明光２０は、さらにガラス板１４のうち光反射部材１３以外の部分を透過して、第１のフライアイレンズ２１ａおよび第２のフライアイレンズ２１ｂを透過することで複数の光束に分割されて偏光変換素子２２に入射する。偏光変換素子２２は、無偏光光である照明光２０を特定の１つの偏光方向を有する直線偏光に変換する。一般に、ＬＤからの光束は直線偏光光であるが、蛍光体１６からの照明光２０は無偏光光になっている。このため、後述する偏光ビームスプリッタでの偏光分離を効率良く行うために、偏光変換素子２２を設けることで直線偏光（図１の紙面に垂直な偏光方向を有するＳ偏光）に変換する。
【００２８】
偏光変換素子２２から出射した照明光２０としての複数の光束は、第４のレンズ２３により集光されて３つの光変調部２８Ｒ，２８Ｇ，２８Ｂ上にて重ね合わせられる。これにより、各光変調部は均一に照明される。
【００２９】
また、第４のレンズ２３を透過した照明光２０は、その光路上に設けられたシャッタ３３に向かう。シャッタ３３の開閉量に応じて、シャッタ３３を通過する照明光２０の光量を変更することが可能である。シャッタ３３の開閉量はシステム制御部１により制御され、シャッタ３３を完全に閉じた場合は照明光２０がほとんど遮られ、投射画像を全黒画像とすることができる。
【００３０】
シャッタ３３を通過した照明光２０は、ダイクロイックミラー２４に導かれる。ダイクロイックミラー２４は、照明光２０のうちＲＢ光２０ＲＢを反射し、Ｇ光２０Ｇを透過させる。ダイクロイックミラー２４を透過したＳ偏光のＧ光２０Ｇは、Ｇ用偏光ビームスプリッタ２６Ｇに入射してその偏光分離面で反射され、Ｇ用光変調部２８Ｇに到達する。ここで、Ｇ用光変調部２８Ｇは、デジタル駆動式の反射型液晶表示素子であり、Ｇ光２０Ｇを変調するための原画を形成する。システム制御部１は、外部からの入力映像信号に応じてＧ用光変調部２８Ｇに原画を形成させるようにこれを駆動する。この際、システム制御部１は、Ｇ用光変調部２８Ｇの各画素を各フレーム期間内にＯＮ／ＯＦＦ駆動し、該ＯＮ／ＯＦＦ駆動のデューティを制御することによりＧ用光変調部２８Ｇに複数の階調を表現させる。これらのことは、Ｒ用光変調部２８ＲとＢ用光変調部２８Ｂも同様である。
【００３１】
Ｇ用光変調部２８Ｇは、Ｇ光２０Ｇを原画に応じて変調するとともに反射する。これにより、Ｇ用光変調部２８Ｇから変調光２９Ｇが出射する。変調光２９ＧのうちＳ偏光成分は、Ｇ用偏光ビームスプリッタ２６Ｇの偏光分離面で反射され、光源側に戻され、投射光から除去される。一方、変調光２９ＧのうちＰ偏光成分は、Ｇ用偏光ビームスプリッタ２６Ｇの偏光分離面を透過する。このとき、全ての偏光成分をＳ偏光に変換した状態（以下、全黒表示状態という）において、λ／４板２７Ｇの遅相軸または進相軸をＧ用偏光ビームスプリッタ２６Ｇへの入射光軸と反射光軸を含む平面に垂直な方向に調整する。これにより、Ｇ用偏光ビームスプリッタ２６ＧとＧ用光変調部２８Ｇで発生する偏光状態の乱れの影響を小さく抑えることができる。Ｇ用偏光ビームスプリッタ２６Ｇから出射した変調光２９Ｇは、色合成プリズム３０に入射する。
【００３２】
ダイクロイックミラー２４で反射されたＲＢ光２０ＲＢは、波長選択性位相板２５に入射する。波長選択性位相板２５は、Ｒ光をその偏光方向を９０度回転させることでＰ偏光に変換し、Ｂ光をその偏光方向を回転させることなくＳ偏光として透過させる。波長選択性位相板２５を透過したＲＢ光２０ＲＢは、ＲＢ用偏光ビームスプリッタ２６ＲＢに入射する。
【００３３】
ＲＢ用偏光ビームスプリッタ２６ＲＢは、Ｐ偏光であるＲ光２０Ｒを透過し、Ｓ偏光であるＢ光２０Ｂを反射する。ＲＢ用偏光ビームスプリッタ２６ＲＢの偏光分離面を透過したＲ光２０Ｒは、Ｒ用光変調部２８Ｒで変調および反射されて変調光２９Ｒとして出射する。変調光２９ＲのうちＰ偏光成分は、ＲＢ用偏光ビームスプリッタ２６ＲＢの偏光分離面を透過して光源側に戻され、投射光から除去される。一方、変調光２９ＲのうちＳ偏光成分は、ＲＢ用偏光ビームスプリッタ２６ＲＢの偏光分離面で反射されて色合成プリズム３０に入射する。
【００３４】
ＲＢ用偏光ビームスプリッタ２６ＲＢの偏光分離面で反射されたＢ光２０Ｂは、Ｂ用光変調部２８Ｂで変調および反射されて変調光２９Ｂとなる。変調光２９ＢのうちＳ偏光成分は、ＲＢ用偏光ビームスプリッタ２６ＲＢの偏光分離面で反射されて光源側に戻され、投射光から除去される。一方、変調光２９ＢのうちＰ偏光成分は、ＲＢ用偏光ビームスプリッタ２６ＲＢの偏光分離面を透過して色合成プリズム３０に入射する。このとき、λ／４板２７Ｒ，２７Ｂの遅相軸をＧ用のλ／４板２７Ｇと同様に調整することにより、ＲとＢそれぞれの全黒表示状態の調整を行うことができる。こうして１つの光束に合成されてＲＢ用偏光ビームスプリッタ２６ＲＢから出射したＲＢ光２９ＲＢは、色合成プリズム３０に入射する。
【００３５】
色合成プリズム３０は、ＲＢ光２９ＲＢを透過してＧ光２９Ｇを反射することでこれらを合成して投射光３１を生成する。投射光３１は、投射レンズ３２を介してスクリーン等の不図示の被投射面に拡大投射される。これにより、投射画像としてのカラー画像が表示される。なお、図１に示した光路は、本プロジェクタが全白画像を表示しているときのものである。以下の実施例でも、特に断りがない限り、プロジェクタは全白画像を表示しているものとする。
【００３６】
図２のフローチャートは、本実施例においてシステム制御部１（および駆動電流算出部３）が行う光源点灯処理を示している。システム制御部１は、コンピュータプログラムに従って本処理を実行する。以下の説明において、「Ｓ」はステップを意味する。
【００３７】
ユーザがプロジェクタに設けられた電源ボタンまたはリモートコントローラに設けられた電源ボタンを操作することによりプロジェクタの電源が投入されると、Ｓ１においてシステム制御部１は本処理を開始する。
【００３８】
次にＳ２では、システム制御部１は、駆動電流算出部３で算出された設定値の駆動電流を光源駆動部４を介してＢ光源５ｂａ，５ｂｂ，５ｂｃに供給してこれらを点灯させる。この結果、点灯したＢ光源５ｂｃから発生した熱がＢＲ光源用ヒートシンク６ｒを伝わってＲ光源５ｒｄに到達し、Ｒ光源５ｒｄの温度を上昇させる。図３は、電源投入時のＢ光源５ｂｃとＲ光源５ｒｄの温度の変化を示す。図３に示すように、Ｒ光源５ｒｄには駆動電流が供給されていないが、Ｂ光源５ｂｃの熱が伝わることで、Ｒ光源５ｒｄの温度が上昇している。
【００３９】
次にＳ３では、計時手段としてのシステム制御部１は、Ｂ光源５ｂａ，５ｂｃ，５ｂｃを点灯した後の経過時間を計測し、所定時間が経過したか否かを判定する。所定時間は、Ｒ光源５ｒｄの温度が該Ｒ光源５ｒｄにＣОＤが生じ難い温度に到達する時間を実験的に求め。該時間に基づいて設定される。システム制御部１は、所定時間が経過していなければＳ３の判定を繰り返し、所定時間が経過した場合はＳ４に進む。
【００４０】
Ｓ４では、システム制御部１は、駆動電流算出部３で算出された設定値の駆動電流を光源駆動部４を介してＲ光源５ｒｄに供給してこれを点灯させる。そして本処理を終了する。
【００４１】
本実施例によれば、プロジェクタの電源投入時においてＢ光源５ｂａ，５ｂｃ，５ｂｃの点灯した後、Ｒ光源５ｒｄの温度がＣОＤが生じ難い温度に上昇したタイミングでＲ光源５ｒｄを点灯する。このため、Ｒ光源５ｒｄにおいてＣОＤの発生を抑制することができる。
【００４２】
なお、本実施例では、同一のＢＲ光源用ヒートシンク６ｒ上にＢ光源５ｂｃとＲ光源５ｒｄを配置した場合について説明したが、Ｂ光源の熱をヒートシンク以外のヒートパイプ等の伝熱部材を用いて伝達してもよい。
【００４３】
また、Ｒ光源５ｒｄとＢＲ光源用ヒートシンク６ｒとの少なくともどちらか一方に接するように、Ｒ光源５ｒｄの温度を上昇させるためのヒータを設けてもよい。
【実施例２】
【００４４】
次に、本発明の実施例２について説明する。実施例２のプロジェクタの構成は、実施例１のプロジェクタと同じである。図４のフローチャートは、本実施例においてシステム制御部１が行う光源点灯処理を示している。
【００４５】
ユーザがプロジェクタに設けられた電源ボタンまたはリモートコントローラに設けられた電源ボタンを操作することによりプロジェクタの電源が投入されると、Ｓ１１においてシステム制御部１は本処理を開始する。
【００４６】
次にＳ１２では、システム制御部１は、駆動電流算出部３で算出された設定値の駆動電流を光源駆動部４を介してＢ光源５ｂａ，５ｂｂ，５ｂｃに供給してこれらを点灯させる。この結果、図３に示すように、点灯したＢ光源５ｂｃから発生した熱がＢＲ光源用ヒートシンク６ｒを伝わってＲ光源５ｒｄに到達し、Ｒ光源５ｒｄの温度を上昇させる。
【００４７】
次にＳ１３では、システム制御部１は、Ｂ光源５ｂａ，５ｂｃ，５ｂｃを点灯した後、所定時間が経過したか否かを判定する。所定時間については、実施例１と同じである。システム制御部１は、所定時間が経過していなければＳ１３の判定を繰り返し、所定時間が経過した場合はＳ１４に進む。
【００４８】
Ｓ１４では、システム制御部１は、駆動電流算出部３で算出された駆動電流を光源駆動部４を介してＲ光源５ｒｄに供給してこれを点灯させる。この際、システム制御部１は、駆動電流算出部３を介して、Ｒ光源５ｒｄに供給する駆動電流を段階的に徐々に増加させる。すなわち、Ｂ光源５ｂａ，５ｂｂ，５ｂｃに対してＳ１２にて設定値の駆動電流を供給する際に要した時間よりも長い時間をかけてＲ光源５ｒｄに供給する駆動電流を設定値まで増加させる。
【００４９】
これは、実施例１で説明したようにＢ光源５ｂｃからの熱によりＲ光源５ｒｄの温度が上昇しつつあるが、まだＲ光源５ｒｄの温度は高い駆動電流での発光によるＣОＤの発生が抑制できる温度までは上昇していない。このため、システム制御部１は、図５Ａに示すように、Ｒ光源５ｒｄに供給する駆動電流を、初めは低く設定してＲ光源５ｒｄ自身の発光に伴う発熱によりその温度の上昇を促し、その後に駆動電流を少なくとも１回増加させて最終的に設定値に到達させる。これにより、Ｒ光源５ｒｄでのＣＯＤの発生を抑制することができる。この際のＲ光源５ｒｄの温度の変化を図５Ｂに示す。
【００５０】
Ｓ１４でＲ光源５ｒｄへの駆動電流の供給が開始された後、システム制御部１は、Ｓ１５において、駆動電流算出部３により算出されたＲ光源５ｒｄの駆動電流が設定値に達したか否かを判定する。達していない場合は、Ｓ１６において、駆動電流算出部３に所定量だけＲ光源５ｒｄの駆動電流を増加させる。Ｓ１６における駆動電流の増加を少なくとも１回行ってＲ光源５ｒｄの駆動電流が設定値に達すると、システム制御部１は本処理を終了する。
【００５１】
本実施例でも、プロジェクタの電源投入時においてＢ光源５ｂａ，５ｂｃ，５ｂｃの点灯した後、Ｒ光源５ｒｄの温度がＣОＤが生じ難い温度に上昇したタイミングでＲ光源５ｒｄを点灯する。このため、Ｒ光源５ｒｄにおいてＣОＤの発生を抑制することができる。
【００５２】
本実施例では、Ｒ光源５ｒｄに供給する駆動電流を段階的に増加させたが、連続的に緩やかに設定値まで増加させてもよい。また、Ｒ光源５ｒｄに供給する駆動電流の増加率をＲ光源５ｒｄの温度や使用時間に応じて変化させることで、ＣＯＤの発生をより確実に抑制したりＲ光源５ｒｄの駆動電流が設定値まで増加するのに要する時間を早めたりすることができる。
【実施例３】
【００５３】
次に、本発明の実施例３について説明する。実施例３のプロジェクタの構成は、実施例１のプロジェクタと同じである。図６のフローチャートは、本実施例においてシステム制御部１が行う光源点灯処理を示している。
【００５４】
ユーザがプロジェクタに設けられた電源ボタンまたはリモートコントローラに設けられた電源ボタンを操作することによりプロジェクタの電源が投入されると、Ｓ２１においてシステム制御部１は本処理を開始する。
【００５５】
次にＳ２２では、システム制御部１は、駆動電流算出部３で算出された設定値の駆動電流を光源駆動部４を介してＢ光源５ｂａ，５ｂｂ，５ｂｃに供給してこれらを点灯させる。この結果、図３に示すように、点灯したＢ光源５ｂｃから発生した熱がＢＲ光源用ヒートシンク６ｒを伝わってＲ光源５ｒｄに到達し、Ｒ光源５ｒｄの温度を上昇させる。
【００５６】
次にＳ２３では、システム制御部１は、Ｂ光源５ｂａ，５ｂｃ，５ｂｃを点灯させた後、所定時間が経過したか否かを判定する。所定時間については、実施例１と同じである。システム制御部１は、所定時間が経過していなければＳ２３の判定を繰り返し、所定時間が経過した場合はＳ２４に進む。
【００５７】
Ｓ２４では、システム制御部１は、駆動電流算出部３で算出された設定値の駆動電流を光源駆動部４を介してＲ光源５ｒｄに供給してこれを点灯させる。
【００５８】
次にＳ２５では、システム制御部１は、ＢＲ光源用ヒートシンク６ｒを冷却するために、ＢＲ光源用冷却ファン７ｒを回転させる。すなわち、Ｒ光源５ｒｄを点灯させるまではＢＲ光源用冷却ファン７ｒの回転を停止させておくことで、よりＲ光源５ｒｄの温度上昇が早まり、その結果、Ｒ光源５ｒｄを点灯させるまでの時間を短くすることが可能となる。この後、システム制御部１は本処理を終了する。
【００５９】
本実施例でも、プロジェクタの電源投入時においてＢ光源５ｂａ，５ｂｃ，５ｂｃの点灯した後、Ｒ光源５ｒｄの温度がＣОＤが生じ難い温度に上昇したタイミングでＲ光源５ｒｄを点灯する。このため、Ｒ光源５ｒｄにおいてＣОＤの発生を抑制することができる。
【００６０】
なお、本実施例では、ＢＲ光源用冷却ファン７ｒの回転を開始するタイミングを、Ｒ光源５ｒｄが点灯するまで待つ場合について説明したが、Ｒ光源５ｒｄの点灯よりも前でも十分にＲ光源５ｒｄの温度が上昇していれば、該点灯前または該点灯と同時にＢＲ光源用冷却ファン７ｒの回転を開始してもよい。
【００６１】
また、Ｓ２３での所定時間の経過を待ってＳ２４でＲ光源５ｒｄを点灯するのではなく、後述する実施例４のように温度センサにより検出されたＲ光源５ｒｄの温度がＣОＤの発生を抑制できる所定温度に達することに応じてよってＲ光源５ｒｄを点灯してもよい。また、光量センサにより検出されたＲ光源５ｒｄの発光量が上記所定温度に対応する光量に達することに応じてＲ光源５ｒｄを点灯してもよい。さらに、電圧センサにより検出されたＲ光源５ｒｄの駆動電圧が上記所定温度に対応する電圧に達することに応じてＲ光源５ｒｄを点灯してもよい。また、発光量や駆動電圧の検出対象を、Ｒ光源５ｒｄに近接配置されたＢ光源５ｂｃとしてもよい。これらのことは、前述した実施例１および実施例２でも同様である。
【００６２】
なお、Ｂ光源５ｂａ，５ｂｂを冷却するＢ光源用冷却ファン７ｂは、Ｂ光源５ｂａ，５ｂｂの点灯時、すなわち、ＢＲ光源用冷却ファン７ｒが回転を開始するタイミングより早いタイミングから回転させてもよい。
【実施例４】
【００６３】
次に、本発明の実施例４について説明する。実施例４のプロジェクタの構成を図７に示す。本実施例のプロジェクタは、実施例１のプロジェクタ（図１）の構成に加えて、光源５ｒｄの温度を検出する温度センサ（温度検出手段）４０を追加している。図８のフローチャートは、本実施例においてシステム制御部１が行う光源点灯処理を示している。
【００６４】
ユーザがプロジェクタに設けられた電源ボタンまたはリモートコントローラに設けられた電源ボタンを操作することによりプロジェクタの電源が投入されると、Ｓ３１においてシステム制御部１は本処理を開始する。
【００６５】
次にＳ３２では、システム制御部１は、駆動電流算出部３で算出された設定値の駆動電流を光源駆動部４を介してＢ光源５ｂａ，５ｂｂ，５ｂｃに供給してこれらを点灯させる。この結果、図３に示すように、点灯したＢ光源５ｂｃから発生した熱がＢＲ光源用ヒートシンク６ｒを伝わってＲ光源５ｒｄに到達し、Ｒ光源５ｒｄの温度を上昇させる。
【００６６】
次にＳ３３では、システム制御部１は、温度センサ４０によりＲ光源５ｒｄの温度を検出する。そしてＳ３４において、システム制御部１は、検出された温度が所定温度以上か否かを判定する。所定温度は、Ｒ光源５ｒｄにおけるＣОＤの発生を抑制できる温度である。システム制御部１は、Ｒ光源５ｒｄの温度が所定温度より低い場合はＳ３４の判定を繰り返し、Ｒ光源５ｒｄの温度が所定温度以上である場合はＳ３５に進む。
【００６７】
Ｓ３５では、システム制御部１は、動電流算出部３で算出された設定値の駆動電流を光源駆動部４を介してＲ光源５ｒｄに設定値の駆動電流を供給してこれを点灯させる。そして、本処理を終了する。
【００６８】
本実施例でも、プロジェクタの電源投入時においてＢ光源５ｂａ，５ｂｃ，５ｂｃの点灯した後、Ｒ光源５ｒｄの温度がＣОＤが生じ難い温度に上昇したタイミングでＲ光源５ｒｄを点灯する。このため、Ｒ光源５ｒｄにおいてＣОＤの発生を抑制することができる。
【００６９】
なお、本実施例では、温度センサ４０により検出したＲ光源５ｒｄの温度が所定温度以上になることでＲ光源５ｒｄを点灯させる場合について説明した。しかし、Ｂ光源５ｂｃの温度やＢＲ光源用ヒートシンク６ｒの温度等、Ｒ光源５ｒｄに近接した構成要素の温度を検出して、それが所定温度以上になることに応じてＲ光源５ｒｄを点灯させてもよい。
【実施例５】
【００７０】
次に、本発明の実施例５について説明する。実施例５のプロジェクタの構成は、実施例１のプロジェクタと同じである。図９のフローチャートは、本実施例においてシステム制御部１が行う光源点灯処理を示している。
【００７１】
ユーザがプロジェクタに設けられた電源ボタンまたはリモートコントローラに設けられた電源ボタンを操作することによりプロジェクタの電源が投入されると、Ｓ４１においてシステム制御部１は本処理を開始する。
【００７２】
次にＳ４２では、システム制御部１は、駆動電流算出部３で算出された設定値の駆動電流を光源駆動部４を介してＢ光源５ｂａ，５ｂｂ，５ｂｃに供給してこれらを点灯させる。この結果、図３に示すように、点灯したＢ光源５ｂｃから発生した熱がＢＲ光源用ヒートシンク６ｒを伝わってＲ光源５ｒｄに到達し、Ｒ光源５ｒｄの温度を上昇させる。
【００７３】
ただし、本実施例では、システム制御部１は、駆動電流算出部３を介して、Ｂ光源５ｂａ，５ｂｂ，５ｂｃに供給する駆動電流を段階的または連続的に徐々に設定値まで増加させるように制御する。すなわち、後のＲ光源５ｒｄＢの駆動電流が設定値まで増加するのに要する時間よりも長い時間をかけて光源５ｂａ，５ｂｂ，５ｂｃｃに供給する駆動電流を設定値まで増加させる。これは、Ｂ光源はＲ光源に比べてＣＯＤが発生しにくいが、Ｒ光源と同様に、温度が低いときにＣＯＤが発生する可能性があるためである。このため、システム制御部１は、Ｂ光源５ｂａ，５ｂｂ，５ｂｃに供給する駆動電流を、初めは低く設定してＢ光源５ｂａ，５ｂｂ，５ｂｃ自身の発光に伴う発熱によりその温度の上昇を促し、その後に駆動電流を少なくとも１回増加させて最終的に設定値に到達させる。
【００７４】
Ｓ４２でＢ光源５ｂａ，５ｂｂ，５ｂｃへの駆動電流の供給を開始した後、システム制御部１は、Ｓ４３においてＢ光源５ｂａ，５ｂｂ，５ｂｃの駆動電流が設定値に達したか否かを判定する。システム制御部１は、該駆動電流が設定値に達していない場合はＳ４４において駆動電流算出部３に所定量だけＢ光源５ｂａ，５ｂｂ，５ｂｃの駆動電流を増加させる。Ｓ４４における駆動電流の増加を少なくとも１回行ってＢ光源５ｂａ，５ｂｂ，５ｂｃの駆動電流が設定値に達すると、システム制御部１はＳ４５に進む。
【００７５】
Ｓ４５では、システム制御部１は、駆動電流算出部３により算出された設定値の駆動電流を光源駆動部４を介してＲ光源５ｒｄに供給してこれを点灯させる。そして、システム制御部１は本処理を終了する。
【００７６】
本実施例でも、プロジェクタの電源投入時においてＢ光源５ｂａ，５ｂｃ，５ｂｃの点灯した後、Ｒ光源５ｒｄの温度がＣОＤが生じ難い温度に上昇したタイミングでＲ光源５ｒｄを点灯する。このため、Ｒ光源５ｒｄにおいてＣОＤの発生を抑制することができる。
【００７７】
また、Ｂ光源５ｂａ，５ｂｃ，５ｂｃに供給する駆動電流の増加率をＢ光源５ｂａ，５ｂｃ，５ｂｃの温度や使用時間に応じて変化させてもよい。これにより、Ｂ光源５ｂａ，５ｂｃ，５ｂｃにおけるＣＯＤの発生をより確実に抑制したり、Ｂ光源５ｂａ，５ｂｃ，５ｂｃの駆動電流が設定値まで増加するのに要する時間を早めたりすることができる。
【実施例６】
【００７８】
次に、本発明の実施例６について説明する。実施例６のプロジェクタの構成は、実施例１のプロジェクタと同じである。図１０のフローチャートは、本実施例においてシステム制御部１行う光源点灯処理を示している。
【００７９】
ユーザがプロジェクタに設けられた電源ボタンまたはリモートコントローラに設けられた電源ボタンを操作することによりプロジェクタの電源が投入されると、Ｓ５１においてシステム制御部１は本処理を開始する。
【００８０】
次にＳ５２では、システム制御部１は、光変調部２８Ｒ，２８Ｇ，２８Ｂを入力映像信号にかかわらず全黒表示状態となるように制御する。これは、電源投入時はＲ光源５ｒｄを点灯させずにＢ光源５ｂａ，５ｂｃ，５ｂｃを点灯させるため、プロジェクタから適切な色の画像を投射することができず、そのような画像を投射するのは好ましくないためである。
【００８１】
次にＳ５３では、システム制御部１は、駆動電流算出部３により算出された設定値の駆動電流を光源駆動部４を介してＢ光源５ｂａ，５ｂｂ，５ｂｃに供給してこれらを点灯させる。この結果、図３に示すように、点灯したＢ光源５ｂｃから発生した熱がＢＲ光源用ヒートシンク６ｒを伝わってＲ光源５ｒｄに到達し、Ｒ光源５ｒｄの温度を上昇させる。
【００８２】
次にＳ５４では、システム制御部１は、Ｂ光源５ｂａ，５ｂｃ，５ｂｃを点灯した後、実施例１のＳ３と同様に所定時間が経過したか否かを判定する。システム制御部１は、所定時間が経過していなければＳ５４の判定を繰り返し、所定時間が経過した場合はＳ５５に進む。
【００８３】
Ｓ５５では、システム制御部１は、駆動電流算出部３により算出された設定値の駆動電流を光源駆動部４を介してＲ光源５ｒｄに供給してこれを点灯させる。
【００８４】
次にＳ５５では、システム制御部１は、光変調部２８Ｒ，２８Ｇ，２８Ｂを入力映像信号に応じた通常画像を投射できるように制御する。そして本処理を終了する。
【００８５】
本実施例でも、プロジェクタの電源投入時においてＢ光源５ｂａ，５ｂｃ，５ｂｃの点灯した後、Ｒ光源５ｒｄの温度がＣОＤが生じ難い温度に上昇したタイミングでＲ光源５ｒｄを点灯する。このため、Ｒ光源５ｒｄにおいてＣОＤの発生を抑制することができる。また、全ての光源が点灯するまで光変調部２８Ｒ，２８Ｇ，２８Ｂを全黒表示状態となるように制御することで、色が適切でない画像が投射されることを防止することができる。
【００８６】
なお、実施例４で説明した温度センサを設け、Ｓ５４にて温度センサにより検出されたＲ光源５ｒｄ（またはＲ光源５ｒｄに近接配置された他の構成要素）の温度が所定温度以上と判定した場合にＳ５５にてＲ光源５ｒｄを点灯させるようにしてもよい。
【００８７】
また、本実施例では光変調部２８Ｒ，２８Ｇ，２８Ｂを全黒表示状態となるように制御する場合について説明したが、シャッタ３３を閉じることで全黒表示状態となるように制御してもよい。Ｒ光源５ｒｄを点灯する際にシャッタ３３を開くように制御すれば、通常画像を投射することができる。
【実施例７】
【００８８】
次に、本発明の実施例７について説明する。実施例７のプロジェクタの構成は、実施例１のプロジェクタと同じである。図１１のフローチャートは、本実施例においてシステム制御部１が行う光源点灯処理を示している。
【００８９】
ユーザがプロジェクタに設けられた電源ボタンまたはリモートコントローラに設けられた電源ボタンを操作することによりプロジェクタの電源が投入されると、Ｓ６１においてシステム制御部１は本処理を開始する。
【００９０】
次にＳ６２およびＳ６３では、システム制御部１は、駆動電流算出部３で算出された設定値の駆動電流を光源駆動部４を介してＢ光源５ｂａ，５ｂｂ，５ｂｃに供給してこれらを点灯させる。ただし、システム制御部１は、駆動電流算出部３を介して、Ｂ光源５ｂａ，５ｂｃ，５ｂｃには設定値の駆動電流を供給するが、Ｒ光源５ｒｄの駆動電流を段階的または連続的に設定値まで徐々に増加させる。すなわち、システム制御部１は、Ｒ光源５ｒｄｃに供給する駆動電流を、初めは低く設定してＲ光源５ｒｄ自身の発光に伴う発熱によりその温度の上昇を促し、その後に駆動電流を少なくとも１回増加させて最終的に設定値に到達させる。
【００９１】
次にＳ６４では、システム制御部１は、ＢＲ光源用ヒートシンク６ｒを冷却するために、ＢＲ光源用冷却ファン７ｒを回転させる。そして、システム制御部１は本処理を終了する。
【００９２】
本実施例でも、プロジェクタの電源投入時においてＢ光源５ｂａ，５ｂｃ，５ｂｃの点灯した後、Ｒ光源５ｒｄの温度がＣОＤが生じ難い温度に上昇したタイミングでＲ光源５ｒｄを点灯する。このため、Ｒ光源５ｒｄにおいてＣОＤの発生を抑制することができる。
【００９３】
なお、上記各実施例では、プロジェクタの電源投入時における光源点灯処理について説明したが、一時的に光源を消灯するモード（スタンバイモード等）から再度光源を点灯する際に、各実施例と同様の光源点灯処理を行うことで、ＣОＤの発生を抑制することができる。
【実施例８】
【００９４】
Ｂ光源５ｂａ，５ｂｂ，５ｂｃとＲ光源５ｒｄの配置は、図１および図７に示したようにすべてが同じ方向を向くに配置に限らず、図１２に示すような直交配置であってもよい。具体的には、Ｂ光源５ｂａ，５ｂｂからの光がガラス板７０に設けられた反射部７１で反射し、Ｂ光源５ｂｃとＲ光源５ｒｄからの光がガラス板７０のうち反射部７１以外の部分を透過してＢ光源５ｂａ，５ｂｂからの光と合成されるようにしてもよい。
【００９５】
また、Ｒ光源５ｒｄをＢ光源５ｂｂ，５ｂｃの間に挟まれるように設置すると、Ｂ光源５ｂｂ，５ｂｃからの熱よってＲ光源５ｒｄの温度がより上昇しやすく、Ｒ光源５ｒｄにおけるＣＯＤの発生を抑制することが可能となる。
【００９６】
また、前述した各実施例では、Ｂ光を発する半導体レーザとＲ光を発する半導体レーザを用いたが、Ｇ光を発する半導体レーザを組み合わせてもよい。
【００９７】
また、前述した各実施例では、蛍光体１６が回転する場合について説明したが、必ずしも蛍光体が回転しなくてもよい。蛍光体は、各実施例のような反射型ではなく、透過型であってもよい。
【００９８】
また、前述した各実施例では、光変調部としてデジタル駆動式の反射型液晶表示素子を用いた場合について説明したが、アナログ駆動式の反射型液晶表示素子や透過型液晶表示素子を用いてもよいし、デジタルマイクロミラーデバイスを用いてもよい。
【実施例９】
【００９９】
次に、本発明の実施例９について説明する。実施例９のプロジェクタの構成は、実施例１のプロジェクタと同じである。図１３のフローチャートは、本実施例においてシステム制御部１が行う光源点灯処理を示している。
【０１００】
ユーザがプロジェクタに設けられた電源ボタンまたはリモートコントローラに設けられた電源ボタンを操作することによりプロジェクタの電源が投入されると、Ｓ７１においてシステム制御部１は本処理を開始する。
【０１０１】
次にＳ７２で、システム制御部１は、駆動電流算出部３で算出された駆動電流を光源駆動部４を介してＢ光源５ｂａ，５ｂｂ，５ｂｃに供給してこれらを点灯させる。この際、システム制御部１は、駆動電流算出部３を介してＢ光源５ｂａ，５ｂｂ，５ｂｃに供給する駆動電流を設定値より高くする。
【０１０２】
次にＳ７３では、計時手段としてのシステム制御部１は、Ｂ光源５ｂａ，５ｂｃ，５ｂｃを点灯した後の経過時間を計測し、所定時間が経過したか否かを判定する。所定時間は、Ｒ光源５ｒｄの温度が該Ｒ光源５ｒｄにＣОＤが生じ難い温度に到達する時間を実験的に求め。該時間に基づいて設定される。システム制御部１は、所定時間が経過していなければＳ７３の判定を繰り返し、所定時間が経過した場合はＳ７４に進む。
【０１０３】
Ｓ７４では、システム制御部１は、駆動電流算出部３で算出された設定値の駆動電流を光源駆動部４を介してＢ光源５ｂａ，５ｂｂ，５ｂｃに供給する。また、駆動電流算出部３で算出された設定値の駆動電流を光源駆動部４を介してＲ光源５ｒｄに供給してこれを点灯させる。そして本処理を終了する。
【０１０４】
本実施例によれば、プロジェクタの電源投入時においてＢ光源５ｂａ，５ｂｃ，５ｂｃの点灯した際の発熱量が高く、より早くＢ光源５ｂａ，５ｂｃ，５ｂｃの温度が上昇する。その熱がＲ光源５ｒｄに伝わるため、ＣОＤが生じ難い温度に上昇するまでの時間が早くなり、より早いタイミングでＲ光源５ｒｄを点灯が可能となる。このため、Ｒ光源５ｒｄにおいてＣОＤの発生を抑制することができる。
【実施例１０】
【０１０５】
次に、本発明の実施例１０について説明する。実施例１０のプロジェクタの構成は、実施例１のプロジェクタと同じである。図１４のフローチャートは、本実施例においてシステム制御部１が行う光源点灯処理を示している。
【０１０６】
ユーザがプロジェクタに設けられた電源ボタンまたはリモートコントローラに設けられた電源ボタンを操作することによりプロジェクタの電源が投入されると、Ｓ８１においてシステム制御部１は本処理を開始する。
【０１０７】
次にＳ８２では、システム制御部１は、駆動電流算出部３で算出された設定値の駆動電流を光源駆動部４を介してＢ光源５ｂａ，５ｂｂ，５ｂｃに供給してこれらを点灯させる。この結果、図３に示すように、点灯したＢ光源５ｂｃから発生した熱がＢＲ光源用ヒートシンク６ｒを伝わってＲ光源５ｒｄに到達し、Ｒ光源５ｒｄの温度を上昇させる。
【０１０８】
次にＳ８３では、システム制御部１は、Ｂ光源５ｂａ，５ｂｃ，５ｂｃを点灯した後、所定時間が経過したか否かを判定する。所定時間については、実施例１と同じである。システム制御部１は、所定時間が経過していなければＳ９３の判定を繰り返し、所定時間が経過した場合はＳ８４に進む。
【０１０９】
Ｓ８４では、システム制御部１は、駆動電流算出部３で算出された駆動電流を光源駆動部４を介してＲ光源５ｒｄに供給してこれを点灯させる。この際、システム制御部１は、駆動電流算出部３を介して、Ｒ光源５ｒｄに供給する駆動電流を段階的に徐々に増加させる。すなわち、Ｂ光源５ｂａ，５ｂｂ，５ｂｃに対してＳ８２にて設定値の駆動電流を供給する際に要した時間よりも長い時間をかけてＲ光源５ｒｄに供給する駆動電流を設定値まで増加させる。
【０１１０】
そして、Ｓ８５でＲ光源５ｒｄの駆動電流が設定値に到達しているかを確認し、到達していない場合、Ｓ８６でＲ光源５ｒｄの温度を検知する。そして、Ｓ８７でＲ光源５ｒｄの温度に応じて駆動電流を増加する量を求める。
【０１１１】
このＲ光源５ｒｄの温度が高ければ、駆動電流を増加する量を大きく、Ｒ光源５ｒｄの温度が低ければ、駆動電流を増加する量を小さくする。これは、Ｒ光源５ｒｄの温度が低いうちは、高い駆動電流を流すと発光によるＣＯＤが発生しやすいため、駆動電流を増加する量を小さくし、徐々に発光量を増やすことで、Ｒ光源５ｒｄの温度が上昇するまで、高い駆動電流が流れないようにする（図１５（ａ））。一方、Ｒ光源５ｒｄの温度が高い時には、高い駆動電流を流しても発光によるＣＯＤが発生しにくいため、駆動電流を増加する量を大きくし、なるべく早い時間で設定された駆動電流値に到達させることが可能となる（図１５（ｂ））。
【０１１２】
そして、Ｓ８８でＲ光源５ｒｄの駆動電流をＳ８７で求めた量増加させる。その結果、Ｓ８５でＲ光源５ｒｄの駆動電流が設定値に達すると、システム制御部１は本処理を終了する。
【０１１３】
本実施例では、Ｒ光源５ｒｄに供給する駆動電流をＲ光源５ｒｄの温度に応じて変化させることで、ＣＯＤの発生をより確実に抑制したりＲ光源５ｒｄの駆動電流が設定値まで増加するのに要する時間を早めたりすることができる。
【実施例１１】
【０１１４】
次に、本発明の実施例１１について説明する。実施例１１のプロジェクタの構成は、実施例１のプロジェクタと同じである。図１６のフローチャートは、本実施例においてシステム制御部１が行う光源点灯処理を示している。
【０１１５】
ユーザがプロジェクタに設けられた電源ボタンまたはリモートコントローラに設けられた電源ボタンを操作することによりプロジェクタの電源が投入されると、Ｓ９１においてシステム制御部１は本処理を開始する。
【０１１６】
次にＳ９２では、システム制御部１は、駆動電流算出部３で算出された設定値の駆動電流を光源駆動部４を介してＢ光源５ｂａ，５ｂｂ，５ｂｃに供給してこれらを点灯させる。この結果、図３に示すように、点灯したＢ光源５ｂｃから発生した熱がＢＲ光源用ヒートシンク６ｒを伝わってＲ光源５ｒｄに到達し、Ｒ光源５ｒｄの温度を上昇させる。
【０１１７】
次にＳ９３では、システム制御部１は、Ｂ光源５ｂａ，５ｂｃ，５ｂｃを点灯した後、所定時間が経過したか否かを判定する。所定時間については、実施例１と同じである。システム制御部１は、所定時間が経過していなければＳ９３の判定を繰り返し、所定時間が経過した場合はＳ９４に進む。
【０１１８】
Ｓ９４では、システム制御部１は、駆動電流算出部３で算出された駆動電流を光源駆動部４を介してＲ光源５ｒｄに供給してこれを点灯させる。この際、システム制御部１は、駆動電流算出部３を介して、Ｒ光源５ｒｄに供給する駆動電流を段階的に徐々に増加させる。すなわち、Ｂ光源５ｂａ，５ｂｂ，５ｂｃに対してＳ９２にて設定値の駆動電流を供給する際に要した時間よりも長い時間をかけてＲ光源５ｒｄに供給する駆動電流を設定値まで増加させる。
【０１１９】
そして、Ｓ９５でＲ光源５ｒｄの駆動電流が設定値に到達しているかを確認し、到達していない場合、Ｓ９６でＲ光源５ｒｄの温度を検知する。そして、Ｓ９７でＲ光源５ｒｄの温度に応じて駆動電流を増加するタイミングを求める。
【０１２０】
このＲ光源５ｒｄの温度が高ければ、駆動電流を増加させるタイミングを早く、Ｒ光源５ｒｄの温度が低ければ、駆動電流を増加するタイミングを遅くする。これは、Ｒ光源５ｒｄの温度が低いうちは、高い駆動電流を流すと発光によるＣＯＤが発生しやすいため、駆動電流を増加するタイミングを遅くし、徐々に発光量を増やすことで、Ｒ光源５ｒｄの温度が上昇するまで、高い駆動電流が流れないようにする（図１７（ａ））。一方、Ｒ光源５ｒｄの温度が高い時には、高い駆動電流を流しても発光によるＣＯＤが発生しにくいため、駆動電流を増加するタイミングを早くし、なるべく早い時間で設定された駆動電流値に到達させることが可能となる（図１７（ｂ））。
【０１２１】
そして、Ｓ９８でＲ光源５ｒｄの駆動電流をＳ９７で求めたタイミングで増加させる。その結果、Ｓ９５でＲ光源５ｒｄの駆動電流が設定値に達すると、システム制御部１は本処理を終了する。
【０１２２】
本実施例では、Ｒ光源５ｒｄに供給する駆動電流を増加させるタイミングをＲ光源５ｒｄの温度に応じて変化させることで、ＣＯＤの発生をより確実に抑制したりＲ光源５ｒｄの駆動電流が設定値まで増加するのに要する時間を早めたりすることができる。
【実施例１２】
【０１２３】
次に、本発明の実施例１２について説明する。実施例１２のプロジェクタの構成は、実施例１のプロジェクタと同じである。図１８のフローチャートは、本実施例においてシステム制御部１が行う光源点灯処理を示している。
【０１２４】
ユーザがプロジェクタに設けられた電源ボタンまたはリモートコントローラに設けられた電源ボタンを操作することによりプロジェクタの電源が投入されると、Ｓ１０１においてシステム制御部１は本処理を開始する。
【０１２５】
次にＳ１０２では、システム制御部１は、駆動電流算出部３で算出された設定値の駆動電流を光源駆動部４を介してＢ光源５ｂａ，５ｂｂ，５ｂｃに供給してこれらを点灯させる。この結果、図３に示すように、点灯したＢ光源５ｂｃから発生した熱がＢＲ光源用ヒートシンク６ｒを伝わってＲ光源５ｒｄに到達し、Ｒ光源５ｒｄの温度を上昇させる。
【０１２６】
次にＳ１０３では、システム制御部１は、Ｂ光源５ｂａ，５ｂｃ，５ｂｃを点灯した後、所定時間が経過したか否かを判定する。所定時間については、実施例１と同じである。システム制御部１は、所定時間が経過していなければＳ１０３の判定を繰り返し、所定時間が経過した場合はＳ１０４に進む。
【０１２７】
Ｓ１０４では、システム制御部１は、駆動電流算出部３で算出された駆動電流を光源駆動部４を介してＲ光源５ｒｄに供給してこれを点灯させる。この際、システム制御部１は、駆動電流算出部３を介して、Ｒ光源５ｒｄに供給する駆動電流を段階的に徐々に増加させる。すなわち、Ｂ光源５ｂａ，５ｂｂ，５ｂｃに対してＳ１０２にて設定値の駆動電流を供給する際に要した時間よりも長い時間をかけてＲ光源５ｒｄに供給する駆動電流を設定値まで増加させる。
【０１２８】
この際、駆動電流を増加する量を、Ｒ光源５ｒｄの点灯時間に応じて可変させる。
【０１２９】
そして、Ｓ１０５でＲ光源５ｒｄの駆動電流が設定値に到達しているかを確認し、到達していない場合、Ｓ１０６でＲ光源５ｒｄの累積点灯時間を検知する。そして、Ｓ１０７でＲ光源５ｒｄの累積点灯時間に応じて駆動電流を増加する量を求める。
【０１３０】
このＲ光源５ｒｄの累積点灯時間が長ければ、駆動電流を増加する量を大きく、Ｒ光源５ｒｄの累積点灯時間が短ければ、駆動電流を増加する量を小さくする。これは、Ｒ光源５ｒｄの累積点灯時間が短いと、Ｒ光源５ｒｄの発光効率が高く、高い駆動電流を流すと強く発光する。そのため、発光によるＣＯＤが発生しやすいため、駆動電流を増加する量を小さくし、徐々に発光量を増やすことで、Ｒ光源５ｒｄの温度が上昇するまで、高い駆動電流が流れないようにする（図１５（ａ））。一方、Ｒ光源５ｒｄの累積点灯時間が長ければ、Ｒ光源５ｒｄの発光効率が低下しており、高い駆動電流を流しても強く発光しない。そのため、発光によるＣＯＤが発生しにくいため、駆動電流を増加する量を大きくし、なるべく早い時間で設定された駆動電流値に到達させることが可能となる（図１５（ｂ））。
【０１３１】
そして、Ｓ１０８でＲ光源５ｒｄの駆動電流をＳ１０７で求めた量増加させる。その結果、Ｓ１０５でＲ光源５ｒｄの駆動電流が設定値に達すると、システム制御部１は本処理を終了する。
【０１３２】
本実施例では、Ｒ光源５ｒｄに供給する駆動電流をＲ光源５ｒｄの累積点灯時間に応じて変化させることで、ＣＯＤの発生をより確実に抑制したりＲ光源５ｒｄの駆動電流が設定値まで増加するのに要する時間を早めたりすることができる。
【実施例１３】
【０１３３】
次に、本発明の実施例１３について説明する。実施例１３のプロジェクタの構成は、実施例１のプロジェクタと同じである。図１９のフローチャートは、本実施例においてシステム制御部１が行う光源点灯処理を示している。
【０１３４】
ユーザがプロジェクタに設けられた電源ボタンまたはリモートコントローラに設けられた電源ボタンを操作することによりプロジェクタの電源が投入されると、Ｓ１１１においてシステム制御部１は本処理を開始する。
【０１３５】
次にＳ１１２では、システム制御部１は、駆動電流算出部３で算出された設定値の駆動電流を光源駆動部４を介してＢ光源５ｂａ，５ｂｂ，５ｂｃに供給してこれらを点灯させる。この結果、図３に示すように、点灯したＢ光源５ｂｃから発生した熱がＢＲ光源用ヒートシンク６ｒを伝わってＲ光源５ｒｄに到達し、Ｒ光源５ｒｄの温度を上昇させる。
【０１３６】
次にＳ１１３では、システム制御部１は、Ｂ光源５ｂａ，５ｂｃ，５ｂｃを点灯した後、所定時間が経過したか否かを判定する。所定時間については、実施例１と同じである。システム制御部１は、所定時間が経過していなければＳ１１３の判定を繰り返し、所定時間が経過した場合はＳ１１４に進む。
【０１３７】
Ｓ１１４では、システム制御部１は、駆動電流算出部３で算出された駆動電流を光源駆動部４を介してＲ光源５ｒｄに供給してこれを点灯させる。この際、システム制御部１は、駆動電流算出部３を介して、Ｒ光源５ｒｄに供給する駆動電流を段階的に徐々に増加させる。すなわち、Ｂ光源５ｂａ，５ｂｂ，５ｂｃに対してＳ１１２にて設定値の駆動電流を供給する際に要した時間よりも長い時間をかけてＲ光源５ｒｄに供給する駆動電流を設定値まで増加させる。
【０１３８】
そして、Ｓ１１５でＲ光源５ｒｄの駆動電流が設定値に到達しているかを確認し、到達していない場合、Ｓ１１６でＲ光源５ｒｄの累積点灯時間を検知する。そして、Ｓ１１７でＲ光源５ｒｄの累積点灯時間に応じて駆動電流を増加するタイミングを求める。
【０１３９】
このＲ光源５ｒｄの累積点灯時間が長ければ、駆動電流を増加させるタイミングを早く、Ｒ光源５ｒｄの累積点灯時間が短ければ、駆動電流を増加するタイミングを遅くする。これは、Ｒ光源５ｒｄの累積点灯時間が短いと、高い駆動電流を流すと強く発光する。そのため発光によるＣＯＤが発生しやすいため、駆動電流を増加するタイミングを遅くし、徐々に発光量を増やすことで、Ｒ光源５ｒｄの温度が上昇するまで、高い駆動電流が流れないようにする（図１７（ａ））。一方、Ｒ光源５ｒｄの累積点灯時間が長ければ、高い駆動電流を流しても強く発光しない。そのため発光によるＣＯＤが発生しにくいため、駆動電流を増加するタイミングを早くし、なるべく早い時間で設定された駆動電流値に到達させることが可能となる（図１７（ｂ））。
【０１４０】
そして、Ｓ１１８でＲ光源５ｒｄの駆動電流をＳ１１７で求めたタイミングで増加させる。その結果、Ｓ１１５でＲ光源５ｒｄの駆動電流が設定値に達すると、システム制御部１は本処理を終了する。
【０１４１】
本実施例では、Ｒ光源５ｒｄに供給する駆動電流を増加させるタイミングをＲ光源５ｒｄの累積点灯時間に応じて変化させることで、ＣＯＤの発生をより確実に抑制したりＲ光源５ｒｄの駆動電流が設定値まで増加するのに要する時間を早めたりすることができる。
【実施例１４】
【０１４２】
次に、本発明の実施例１４について説明する。実施例１４のプロジェクタの構成は、実施例１のプロジェクタと同じである。図２０のフローチャートは、本実施例においてシステム制御部１が行う光源点灯処理を示している。
【０１４３】
ユーザがプロジェクタに設けられた電源ボタンまたはリモートコントローラに設けられた電源ボタンを操作することによりプロジェクタの電源が投入されると、Ｓ１２１においてシステム制御部１は本処理を開始する。
【０１４４】
次にＳ１２２では、システム制御部１は、駆動電流算出部３で算出された設定値の駆動電流を光源駆動部４を介してＢ光源５ｂａ，５ｂｂ，５ｂｃに供給してこれらを点灯させる。この結果、図３に示すように、点灯したＢ光源５ｂｃから発生した熱がＢＲ光源用ヒートシンク６ｒを伝わってＲ光源５ｒｄに到達し、Ｒ光源５ｒｄの温度を上昇させる。
【０１４５】
次にＳ１２３では、システム制御部１は、Ｂ光源５ｂａ，５ｂｃ，５ｂｃを点灯した後、所定時間が経過したか否かを判定する。所定時間については、実施例１と同じである。システム制御部１は、所定時間が経過していなければＳ１３の判定を繰り返し、所定時間が経過した場合はＳ１２４に進む。
【０１４６】
Ｓ１２４では、システム制御部１は、駆動電流算出部３で算出された駆動電流を光源駆動部４を介してＲ光源５ｒｄに供給してこれを点灯させる。この際、システム制御部１は、駆動電流算出部３を介して、Ｒ光源５ｒｄに供給する駆動電流を段階的に徐々に増加させる。すなわち、Ｂ光源５ｂａ，５ｂｂ，５ｂｃに対してＳ１２２にて設定値の駆動電流を供給する際に要した時間よりも長い時間をかけてＲ光源５ｒｄに供給する駆動電流を設定値まで増加させる。
【０１４７】
そして、Ｓ１２６でＲ光源５ｒｄの光量を検知する。そしてＳ１２７でＲ光源５ｒｄの光量が設定値に到達しているかを確認する。到達していない場合、Ｓ１２８でＲ光源５ｒｄの点灯を継続し待機し、Ｒ光源５ｒｄの温度が上昇するに従い、Ｒ光源５ｒｄの光量が低下することで、再びＳ１２７でＲ光源５ｒｄの光量が設定値に到達しているかを確認する。
【０１４８】
一方、Ｓ１２７でＲ光源５ｒｄの光量が設定値に到達した場合、次のＳ１２７でＲ光源５ｒｄの駆動電流を増加させる。
【０１４９】
このＲ光源５ｒｄの温度が製品としての定常状態の時の、駆動電流に対する光センサ値の関係を設定値として本体に記録しておく。図２１にＲ光源５ｒｄの駆動電流に対する光センサ値の関係を示す。図２１に記載のように、Ｒ光源５ｒｄの温度が高いと、同じ駆動電流を供給した際の光センサ値は低くなる。そして、光源点灯時にこのＲ光源５ｒｄの光量を設定値と比較し、設定値より光量が高ければＲ光源５ｒｄの温度が低いと判断し、駆動電流を増加させず待機する。またＲ光源５ｒｄの光量が設定値と略一致すれば、Ｒ光源５ｒｄの温度が定常状態に到達したと判断し、駆動電流を増加させる。これは、Ｒ光源５ｒｄの温度が低いうちは、高い駆動電流を流すと発光によるＣＯＤが発生しやすいため、Ｒ光源５ｒｄの温度が上昇するまで、高い駆動電流が流れないようにするためである。そして、Ｒ光源５ｒｄの温度が定常状態に到達した時には、高い駆動電流を流しても発光によるＣＯＤが発生しにくいため、駆動電流を設定値に設定することが可能となる。その結果、なるべく早い時間で設定された駆動電流値に到達させることが可能となる。
【０１５０】
その結果、Ｓ１１５でＲ光源５ｒｄの駆動電流が設定値に達すると、システム制御部１は本処理を終了する。
【０１５１】
本実施例では、Ｒ光源５ｒｄに供給する駆動電流をＲ光源５ｒｄの光量と駆動電流の関係に応じて変化させることで、ＣＯＤの発生をより確実に抑制したりＲ光源５ｒｄの駆動電流が設定値まで増加するのに要する時間を早めたりすることができる。
【実施例１５】
【０１５２】
次に、本発明の実施例１５について説明する。実施例１５のプロジェクタの構成は、実施例１のプロジェクタと同じである。図２２のフローチャートは、本実施例においてシステム制御部１が行う光源点灯処理を示している。
【０１５３】
ユーザがプロジェクタに設けられた電源ボタンまたはリモートコントローラに設けられた電源ボタンを操作することによりプロジェクタの電源が投入されると、Ｓ１３１においてシステム制御部１は本処理を開始する。
【０１５４】
次にＳ１３２では、システム制御部１は、駆動電流算出部３で算出された設定値の駆動電流を光源駆動部４を介してＢ光源５ｂａ，５ｂｂ，５ｂｃに供給してこれらを点灯させる。この結果、図３に示すように、点灯したＢ光源５ｂｃから発生した熱がＢＲ光源用ヒートシンク６ｒを伝わってＲ光源５ｒｄに到達し、Ｒ光源５ｒｄの温度を上昇させる。
【０１５５】
次にＳ１３３では、システム制御部１は、Ｂ光源５ｂａ，５ｂｃ，５ｂｃを点灯した後、所定時間が経過したか否かを判定する。所定時間については、実施例１と同じである。システム制御部１は、所定時間が経過していなければＳ１３３の判定を繰り返し、所定時間が経過した場合はＳ１３４に進む。
【０１５６】
Ｓ１３４では、システム制御部１は、駆動電流算出部３で算出された駆動電流を光源駆動部４を介してＲ光源５ｒｄに供給してこれを点灯させる。この際、システム制御部１は、駆動電流算出部３を介して、Ｒ光源５ｒｄに供給する駆動電流を段階的に徐々に増加させる。すなわち、Ｂ光源５ｂａ，５ｂｂ，５ｂｃに対してＳ１３２にて設定値の駆動電流を供給する際に要した時間よりも長い時間をかけてＲ光源５ｒｄに供給する駆動電流を設定値まで増加させる。
【０１５７】
そして、Ｓ１３５でＲ光源５ｒｄの駆動電流が設定値に到達しているかを確認し、到達していない場合、Ｓ１３６でＲ光源５ｒｄの光量を検知する。そして、Ｓ１３７でＲ光源５ｒｄの光量に応じて駆動電流を増加する量を求める。
【０１５８】
このＲ光源５ｒｄの温度が製品としての定常状態の時の、駆動電流に対する光センサ値（光量）の関係を設定値として本体に記録しておく。図２２にＲ光源５ｒｄの駆動電流に対する光センサ値の関係を示す。図２２に記載のように、Ｒ光源５ｒｄの温度が高いと、同じ駆動電流を供給した際の光センサ値は低くなる。そして、光源点灯時にこのＲ光源５ｒｄの光量を設定値と比較し、設定値との差分が大きければＲ光源５ｒｄの温度が低いと判断し、駆動電流の増加量を小さくする。またＲ光源５ｒｄの光量を設定値と比較し、設定値の差分が小さければ、Ｒ光源５ｒｄの温度が定常状態に近く高い温度に到達したと判断し、駆動電流の増加量を大きくする。これは、Ｒ光源５ｒｄの温度が低いうちは、高い駆動電流を流すと発光によるＣＯＤが発生しやすいため、Ｒ光源５ｒｄの温度が上昇するまで、高い駆動電流が流れないようにするためである。そして、Ｒ光源５ｒｄの温度が定常状態に近い温度に到達した時には、高い駆動電流を流しても発光によるＣＯＤが発生しにくいため、駆動電流を大きく変化させ、設定値に近づけることが可能となる。その結果、なるべく早い時間で設定された駆動電流値に到達させることが可能となる。本発明の点灯時の駆動電流の推移を図２３に示す。
【０１５９】
そして、Ｓ１３８でＲ光源５ｒｄの駆動電流をＳ１３７で求めた量増加させる。その結果、Ｓ１３５でＲ光源５ｒｄの駆動電流が設定値に達すると、システム制御部１は本処理を終了する。
【０１６０】
本実施例では、Ｒ光源５ｒｄに供給する駆動電流をＲ光源５ｒｄの光量と駆動電流の関係に応じて変化させることで、ＣＯＤの発生をより確実に抑制したりＲ光源５ｒｄの駆動電流が設定値まで増加するのに要する時間を早めたりすることができる。
【実施例１６】
【０１６１】
次に、本発明の実施例１６について説明する。実施例１６のプロジェクタの構成は、実施例１のプロジェクタと同じである。図２４のフローチャートは、本実施例においてシステム制御部１が行う光源点灯処理を示している。
【０１６２】
ユーザがプロジェクタに設けられた電源ボタンまたはリモートコントローラに設けられた電源ボタンを操作することによりプロジェクタの電源が投入されると、Ｓ１４１においてシステム制御部１は本処理を開始する。
【０１６３】
次にＳ１４２では、システム制御部１は、駆動電流算出部３で算出された設定値の駆動電流を光源駆動部４を介してＢ光源５ｂａ，５ｂｂ，５ｂｃに供給してこれらを点灯させる。この結果、図３に示すように、点灯したＢ光源５ｂｃから発生した熱がＢＲ光源用ヒートシンク６ｒを伝わってＲ光源５ｒｄに到達し、Ｒ光源５ｒｄの温度を上昇させる。
【０１６４】
次にＳ１４３では、システム制御部１は、Ｂ光源５ｂａ，５ｂｃ，５ｂｃを点灯した後、所定時間が経過したか否かを判定する。所定時間については、実施例１と同じである。システム制御部１は、所定時間が経過していなければＳ１４３の判定を繰り返し、所定時間が経過した場合はＳ１４４に進む。
【０１６５】
プロジェクタ製造時にＢ光源５ｂｃの温度が製品としての定常状態の時の、駆動電流に対する光センサ値（光量）の関係を設定値として本体に記録しておく。
【０１６６】
次にＳ１４４では、システム制御部１は、Ｂ光源５ｂａ，５ｂｃ，５ｂｃを点灯した後、Ｂ光源５ｂｃの光量を検出する。そして、Ｓ１４５で光源点灯時にこのＢ光源５ｂｃの光量を設定値と比較し、設定値より光量が高ければＲ光源５ｒｄの温度が低いと判断し、Ｓ１４６で駆動電流を増加させず待機する。またＢ光源５ｂｃの光量が設定値と略一致すれば、Ｓ１４７に進みＲ光源５ｒｄの温度が定常状態に到達したと判断し、Ｒ光源５ｒｄを点灯させる。
【０１６７】
これは、点灯したＢ光源５ｂｃから発生した熱がＢＲ光源用ヒートシンク６ｒを伝わってＲ光源５ｒｄに到達し、Ｒ光源５ｒｄの温度を上昇させるため、Ｂ光源５ｂｃの光量を検出することで、Ｒ光源５ｒｄの温度を間接的に把握することが可能となるためである。
【０１６８】
そして、Ｒ光源５ｒｄの温度が低いうちは、高い駆動電流を流すと発光によるＣＯＤが発生しやすいため、Ｒ光源５ｒｄの温度が上昇するまで、高い駆動電流が流れないようにするためである。そして、Ｒ光源５ｒｄの温度が定常状態に到達した時には、高い駆動電流を流しても発光によるＣＯＤが発生しにくいため、設定された駆動電流をＲ光源５ｒｄに供給することが可能となる。その結果、なるべく早い時間で設定された駆動電流値に到達させることが可能となる。
【０１６９】
本実施例では、Ｒ光源５ｒｄに供給する駆動電流をＢ光源の光量と駆動電流の関係に応じて変化させることで、ＣＯＤの発生をより確実に抑制したりＲ光源５ｒｄの駆動電流が設定値まで増加するのに要する時間を早めたりすることができる。
【実施例１７】
【０１７０】
次に、本発明の実施例１７について説明する。実施例１７のプロジェクタの構成は、実施例１のプロジェクタと同じである。図２５のフローチャートは、本実施例においてシステム制御部１が行う光源点灯処理を示している。
【０１７１】
ユーザがプロジェクタに設けられた電源ボタンまたはリモートコントローラに設けられた電源ボタンを操作することによりプロジェクタの電源が投入されると、Ｓ１５１においてシステム制御部１は本処理を開始する。
【０１７２】
次にＳ１５２では、システム制御部１は、駆動電流算出部３で算出された設定値の駆動電流を光源駆動部４を介してＢ光源５ｂａ，５ｂｂ，５ｂｃに供給してこれらを点灯させる。この結果、図３に示すように、点灯したＢ光源５ｂｃから発生した熱がＢＲ光源用ヒートシンク６ｒを伝わってＲ光源５ｒｄに到達し、Ｒ光源５ｒｄの温度を上昇させる。
【０１７３】
次にＳ１５３では、システム制御部１は、Ｂ光源５ｂａ，５ｂｃ，５ｂｃを点灯した後、所定時間が経過したか否かを判定する。所定時間については、実施例１と同じである。システム制御部１は、所定時間が経過していなければＳ１５３の判定を繰り返し、所定時間が経過した場合はＳ１５４に進む。
【０１７４】
プロジェクタ製造時に、Ｂ光源５ｂｃの温度が製品としての定常状態の時の、駆動電流に対する光センサ値の関係を設定値として本体に記録しておく。
【０１７５】
次にＳ１５４では、システム制御部１は、Ｂ光源５ｂａ，５ｂｃ，５ｂｃを点灯した後、Ｂ光源５ｂｃの光量を検出する。そして、Ｓ１５４で光源点灯時にこのＢ光源５ｂｃの光量を設定した閾値と比較し、閾値値より光量が高ければＲ光源５ｒｄの温度が低いと判断し、Ｓ１５６でＲ光源５ｒｄを点灯させずに待機する。またＢ光源５ｂｃの光量が閾値と略一致すれば、Ｓ１５７に進みＲ光源５ｒｄの温度が上昇したと判断し、Ｒ光源５ｒｄを点灯させる。
【０１７６】
これは、点灯したＢ光源５ｂｃから発生した熱がＢＲ光源用ヒートシンク６ｒを伝わってＲ光源５ｒｄに到達し、Ｒ光源５ｒｄの温度を上昇させるため、Ｂ光源５ｂｃの光量を検出することで、Ｒ光源５ｒｄの温度を間接的に把握することが可能となるためである。
【０１７７】
点灯時のＲ光源５ｒｄへ供給する駆動電流は、設定されたＲ光源５ｒｄの駆動電流よりも低い値である。これは、Ｒ光源５ｒｄの温度が低いうちは、高い駆動電流を流すと発光によるＣＯＤが発生しやすいため、Ｒ光源５ｒｄの温度が上昇するまで、高い駆動電流が流れないようにするためである。
【０１７８】
そして、Ｓ１５８でＲ光源５ｒｄの駆動電流が設定値に到達しているかを確認し、到達していない場合、Ｓ１５９でこのＢ光源５ｂｃの光量を検知する。そして、Ｓ１６０でＢ光源５ｂｃの光量を設定値と比較し、設定値より光量が高ければＲ光源５ｒｄの温度が低いと判断し、Ｓ１６１で駆動電流を増加させず待機する。またＲ光源５ｒｄの光量が設定値と略一致すれば、Ｒ光源５ｒｄの温度が定常状態に到達したと判断し、Ｓ１６２で駆動電流を増加させる。
【０１７９】
これは、点灯したＢ光源５ｂｃから発生した熱がＢＲ光源用ヒートシンク６ｒを伝わってＲ光源５ｒｄに到達し、Ｒ光源５ｒｄの温度を上昇させるため、Ｂ光源５ｂｃの光量を検出することで、Ｒ光源５ｒｄの温度を間接的に把握することが可能となるためである。
【０１８０】
そして、Ｒ光源５ｒｄの温度が低いうちは、高い駆動電流を流すと発光によるＣＯＤが発生しやすいため、Ｒ光源５ｒｄの温度が上昇するまで、高い駆動電流が流れないようにするためである。そして、Ｒ光源５ｒｄの温度が定常状態に到達した時には、高い駆動電流を流しても発光によるCODが発生しにくいため、駆動電流を設定値に設定することが可能となる。その結果、なるべく早い時間で設定された駆動電流値に到達させることが可能となる。
【０１８１】
Ｒ光源５ｒｄの駆動電流が設定値に達すると、システム制御部１は本処理を終了する。
【０１８２】
本実施例では、Ｒ光源５ｒｄに供給する駆動電流をＢ光源の光量と駆動電流の関係に応じて変化させることで、ＣＯＤの発生をより確実に抑制したりＲ光源５ｒｄの駆動電流が設定値まで増加するのに要する時間を早めたりすることができる。  各実施例によれば、第２の光源におけるＣＯＤの発生を抑制した光源装置およびこれを備えた画像投射装置を実現することができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【０１８３】
以上説明した各実施例は代表的な例にすぎず、本発明の実施に際しては、各実施例に対して種々の変形や変更が可能である。
【符号の説明】
【０１８４】
１  システム制御部
３  駆動電流算出部
４  光源駆動部
５ｂａ，５ｂｂ，５ｂｃ  青（Ｂ）光源
５ｒｄ  赤（Ｒ）光源
６ｒ  ＢＲ光源用ヒートシンク
【図１】
2020034902.tif 000003
【図２】
2020034902.tif 000004
【図３】
2020034902.tif 000005
【図４】
2020034902.tif 000006
【図５】
2020034902.tif 000007
【図６】
2020034902.tif 000008
【図７】
2020034902.tif 000009
【図８】
2020034902.tif 000010
【図９】
2020034902.tif 000011
【図１０】
2020034902.tif 000012
【図１１】
2020034902.tif 000013
【図１２】
2020034902.tif 000014
【図１３】
2020034902.tif 000015
【図１４】
2020034902.tif 000016
【図１５】
2020034902.tif 000017
【図１６】
2020034902.tif 000018
【図１７】
2020034902.tif 000019
【図１８】
2020034902.tif 000020
【図１９】
2020034902.tif 000021
【図２０】
2020034902.tif 000022
【図２１】
2020034902.tif 000023
【図２２】
2020034902.tif 000024
【図２３】
2020034902.tif 000025
【図２４】
2020034902.tif 000026
【図２５】
2020034902.tif 000027